(57)【要約】【課題】  ホースの継手金具において、識別用の着色を施すと共に、その着色が一目で識別しやすく且つ使用により磨耗や汚損を受けることがなく、長期間に亙って識別機能を維持できるようにする。【解決手段】  差し金具２と受け金具３とよりなる三鉤式のホースの継手金具において、差し金具２における係合解除用リング１１の少なくとも筒部１８の外周面に識別用の着色面１９を形成する。【効果】  係合解除用リング１１の筒部１８の外周面に形成した着色面１９は容易に視認することができ、消防用ホースを識別することができると共に、筒部１８はその後端の鍔１０で保護されて着色面１９に直接外力が作用することがなく、着色面１９が損傷したり汚損したりして識別機能が損なわれることはない。【選択図】          図１
2008142301.tif 000002
【特許請求の範囲】
【請求項１】
差し金具（２）と受け金具（３）とよりなり、前記差し金具（２）が基部にホース結合筒部（４）と先端部外周に大径部（８）を有し、その大径部（８）の後部に係合段部（９）を形成した筒体であって、前記係合段部（９）の後方外周に係合解除用リング（１１）が遊嵌されており、前記受け金具（３）が基部にホース結合筒部（４）と先端部に前記差し金具（２）の先端部を受け入れる受け部（１２）とを有する筒体であって、その受け部（１２）内周に受け金具（３）の先端方向に向かってテーパー面（１３）を有し、且つ前記係合段部（９）に係合離脱可能の係合爪（１４）を内方に付勢して設け、前記係合解除用リング（１１）が筒部（１８）の後端に鍔（１０）を有し、その筒部（１８）を受け部（１２）先端から押し込むことにより前記係合爪（１４）を付勢に抗して外方に偏倚させ、係合段部（９）との係合を解除するようにしたホース接続金具において、前記係合解除用リング（１１）の少なくとも筒部（１８）の外周面に識別用の着色面（１９）を形成したことを特徴とする、ホースの継手金具
【発明の詳細な説明】
【技術分野】
【０００１】
本発明はホースの継手金具に関するものであって、特に消防用ホースの継手金具であって、差し金具と受け金具とを結合する、一般に三鉤式金具と呼ばれる形式の継手金具の改良に関するものである。
【背景技術】
【０００２】
従来三鉤式金具は、メーカーにより具体的な構造に多少に差異はあるものの、互いに接続可能で互換性を有しており、消防用ホースの継手金具としてわが国において広く採用されている。
【０００３】
三鉤式金具は図１に示すように、それぞれホース１の端末に取り付けられた差し金具２と受け金具３とよりなっており、当該差し金具２及び受け金具３は、それぞれその基部にホース結合筒部４が形成され、当該ホース結合筒部４の外周には竹の子状の凹凸条５が形成されている。
【０００４】
そしてそのホース結合筒部４のその外側にホース１の端末を嵌合し、さらにその外側に筒状の口巻き布６が嵌合され、さらにその外側に金属リング７を嵌合し、その金属リング７をかしめてホース１をホース結合筒部４に固定している。なおホース結合筒部４とホース１との結合形式は上記形式に限らず、ホース１の外側から針金を巻付けて締め付けるもの、ホース１の端部をホース結合筒部４内に挿入し、その内側に金属筒を嵌合して拡開するものなど、種々の形式のものがある。
【０００５】
そして差し金具２は、その先端部外周に大径部８が形成され、当該大径部８の後部に係合段部９が形成されており、当該係合段部の後部外周に筒部１８の後端に鍔１０を有する係合解除用リング１１が遊嵌されている。
【０００６】
また前記受け金具３は、先端部に前記差し金具２の先端部を受け入れる受け部１２を有しており、その受け部１２の内周には、受け金具３の先端方向に向かってテーパー面１３を有し且つ、前記差し金具２の係合段部９に係合離脱可能の係合爪１４が設けられ、当該係合爪１４はばね手段１５により内方に付勢されている。なお１６はパッキンであり、１７は受け部１２の外周に嵌合された緩衝ゴムである。
【０００７】
而して前記差し金具２の先端部を受け金具３の受け部１２内に押し込むと、大径部８の先端が係合爪１４のテーパー面１３に当接し、係合爪１４をばね手段１５の弾力に抗して外方に押し拡げつつ侵入し、大径部８が係合爪１４を通り抜けると、係合爪１４がばね手段１５の弾力により内方に突出して係合段部９に係合し、図１（ｂ）に示すように差し金具２と受け金具３とが結合される。このときパッキン１６が大径部８の外面に圧接して、両金具２、３を水密にシールする。
【０００８】
またこの状態で前記係合解除用リング１１を差し金具２の先端方向に摺動させ、受け金具３の受け部１２の先端から押し込むことにより、筒部１８の先端が前記係合爪１４をばね手段１５の弾力に抗して外方に偏倚させ、係合段部９との係合を解除して差し金具２と受け金具３との結合を解除し得るようになっている。
【０００９】
ところで火災現場においては、各地に所属する消防署やその分団などから多数の消防車が出動し、それらが共同して消火に当たるのであるが、それらの消防車がそれぞれ消防用ホースを持ち込むため、現場においては所属の異る複数の消防用ホースが交錯して使用されることとなり、混乱が生じやすい。
【００１０】
一般には消防用ホースの端部や口巻き布６に所属を文字により記載することが行われているが、その確認は面倒であって、往々にして、撤収時に誤って所属の異る消防用ホースを持ち帰るようなことが生じており、消防用ホースの所属を一目で識別できる手段が求められていた。
【００１１】
また火災現場における識別に限らず、各消防署において、購入又は製造の年度や、使用頻度などを管理する場合においても、消防用ホースを分類して容易に識別することができることが求められている。また一般のビルなどにおける消火栓用ホースにおいても、同様のことが言える。
【００１２】
このような事情に鑑み、消防用ホースの継手金具の各所に彩色を施し、消防用ホースの識別を容易ならしめることが提案されている。例えば特開平０８−７１１７２号公報には前記緩衝ゴム１７に彩色して色分けすることが記載され、実開平０６−７５５２４号公報には継手金具２、３とホース１との結合部外周に反射体のシールを張り付けることが記載され、また実公平０４−６７７１号公報にも同様の箇所に回帰性反射材を取り付けることが記載されている。
【００１３】
しかしながら消防用ホースは緊急時に使用されるものであり、その取り扱いはかなり過酷であって、それらの識別部が損傷したり汚損したりして、識別機能が失われることが少なくない。
【００１４】
特開平０８−７１１７２号のものは緩衝ゴム１７に彩色するものであるが、消防用ホースが地面を引き摺られたような場合には、緩衝ゴム１７自体が受け金具３から脱落して失われてしまうことも少なくない。
【００１５】
また実開平０６−７５５２４号公報や実公平０４−６７７１号公報に記載されたものは、ホース１と継手金具２、３との結合部に識別用の部材を取り付けるものであるが、かかる結合部は消防用ホースを引き摺ったときには摩擦を受けやすい箇所であり、また金具を着脱する際には手に持ったり足で踏んだりする箇所であるため、それらの作業により摩擦されることも多く、識別用の部材が磨耗したり汚損したり、剥がれたり脱落したりする可能性が高い。
【特許文献１】特開平０８−７１１７２号公報
【特許文献２】実開平０６−７５５２４号公報
【特許文献２】実公平０４−６７７１号公報
【発明の開示】
【発明が解決しようとする課題】
【００１６】
本発明はかかる事情に鑑みなされたものであって、消防用ホースの継手金具において、識別用の着色を施すと共に、その着色が一目で識別しやすく且つ使用により磨耗や汚損を受けることがなく、長期間に亙って識別機能を維持できるようにすることを目的とするものである。
【課題を解決するための手段】
【００１７】
而して本発明は、差し金具と受け金具とよりなり、前記差し金具が基部にホース結合筒部と先端部外周に大径部を有し、その大径部の後部に係合段部を形成した筒体であって、前記係合段部の後方外周に係合解除用リングが遊嵌されており、前記受け金具が基部にホース結合筒部と先端部に前記差し金具の先端部を受け入れる受け部とを有する筒体であって、その受け部内周に受け金具の先端方向に向かってテーパー面を有し、且つ前記係合段部に係合離脱可能の係合爪を内方に付勢して設け、前記係合解除用リングが筒部の後端に鍔を有し、その筒部を受け部先端から押し込むことにより前記係合爪を付勢に抗して外方に偏倚させ、係合段部との係合を解除するようにしたホース接続金具において、前記係合解除用リングの少なくとも筒部の外周面に識別用の着色面を形成したことを特徴とするものである。
【発明の効果】
【００１８】
本発明によれば、係合解除用リング１１の筒部１８は金具の結合状態においても外部に大きく露出しているため、その外周面に形成した着色面は容易に視認することができ、消防用ホースを識別することができる。
【００１９】
また筒部１８はその後端に鍔１０が形成されているため、当該鍔１０で保護されて着色面に直接外力が作用することがなく、着色面が損傷したり汚損したりして識別機能が損なわれることはない。
【発明を実施するための最良の形態】
【００２０】
以下本発明の実施の形態を図面に従って説明する。図面は本発明のホースの継手金具をしめすものであって、その基本的な構造は先に述べた三鉤式の継手金具と同一の構造を有するものである。
【００２１】
そして本発明においては、前記係合解除用リング１１の少なくとも筒部１８の外周面に、識別用の着色面１９を形成したものである。なお筒部１８の外周面に止まらず、鍔１０にも着色することもできる。
【００２２】
而して本発明によれば、係合解除用リング１１の筒部１８は外部から見やすい位置にあり、継手金具２、３を結合した状態においても外部に大きく露出しているため、その外周面に形成した着色面１９は容易に視認することができ、その色により消防用ホースを識別することができる。
【００２３】
また筒部１８はその後端に鍔１０が形成されているため、継手金具２、３を結合した状態においては、着色面１９は受け金具３の先端面と鍔１０との間で大きく窪んだ位置に形成されることとなるため、消防用ホースを引き摺ったりして外力が加わっても、着色面１９が直接地面などに接することはなく、損傷したり汚損したりすることはない。
【００２４】
また継手金具２、３の結合を外した状態においても、直接地面に接するのは鍔１０であって、着色面１９は鍔１０に保護されて地面に接することはなく、摩擦や汚損を受けることは少ない。
【００２５】
また係合解除用リング１１は差し金具２と受け金具３との結合を解除するときに、筒部１８を受け金具３に差し込んで係合爪１４を押し拡げる作用をするものであるが、その際に直接係合爪１４に接触するのは筒部１８の先端の僅かな範囲のみであり、着色面１９の大部分は係合爪１４に接することもなく、摩擦により損傷することもない。また金具の着脱に際してことさらに手や足が触れることもない。
【００２６】
従って本発明によれば、前記従来例に挙げたもののように、長期間の使用により磨耗や汚損によって識別機能が損なわれることがなく、長期間に亙って鮮明な色を保ち、識別機能を維持することができる。
【００２７】
本発明における着色面１９の着色方法としては、ペンキなどの塗料を塗装したり、メッキや着色アルマイト処理などにより着色することができる。また識別性を向上させるために、反射材や蓄光材を使用することもできる。
【図面の簡単な説明】
【００２８】
【図１】本発明の継手金具の半裁側面図であって、（ａ）は金具の結合を解除した状態を示すものであり、（ｂ）は結合状態を示すものである。
【符号の説明】
【００２９】
１  ホース
２  差し金具
３  受け金具
４  ホース結合筒部
８  大径部
９  係合段部
１０  鍔
１１  係合解除用リング
１２  受け部
１３  テーパー面
１４  係合爪
１５  ばね手段
１８  筒部
１９  着色面
【図１】
2008142301.tif 000003